(57)【特許請求の範囲】
【請求項１】
生分解性樹脂で形成され、海底に設置されるサンゴ増殖／移植用マットであって、
所定形状の外枠の内部に、サンゴを差し込んで弾性保持可能な保持孔を複数連続形成してなる網状部を連設してマット本体を形成する一方、
前記マット本体の上面に、複数の針状体を所定間隔で立設したことを特徴とするサンゴ増殖／移植用マット。
【請求項２】
前記外枠に、隣接するサンゴ増殖／移植用マットの外枠と連結可能な連結部を設けたことを特徴とする請求項１に記載のサンゴ増殖／移植用マット。
【請求項３】
前記針状体は、長さが３５ｍｍ以上で、且つ２０ｍｍ以上１００ｍｍ以下の間隔、若しくは３０ｍｍ以上５０ｍｍ以下の間隔で立設されることを特徴とする請求項１又は２の何れかに記載のサンゴ増殖／移植用マット。
【請求項４】
前記網状部を格子状として、前記保持孔を、格子の目内で複数の支持棒を前記目の中央を除く放射方向に配設して形成したことを特徴とする請求項１乃至３の何れかに記載のサンゴ増殖／移植用マット。
【請求項５】
前記格子の目内に、前記支持棒の中間部位間を接続するリング体を設けて前記支持棒を前記リング体の中心に向けて突出させ、前記リング体の内外で前記保持孔を夫々形成したたことを特徴とする請求項４に記載のサンゴ増殖／移植用マット。
【請求項６】
請求項１乃至５の何れかに記載のサンゴ増殖／移植用マットを海底に設置し、サンゴをマット本体の保持孔に差し込み、海底上に立設した状態で保持させて海底に定着させることを特徴とするサンゴ増殖／移植方法。
【発明の詳細な説明】
【技術分野】
【０００１】
本発明は、サンゴを採取又は養殖した個体を、サンゴ礫地等海底に移植し、増殖させることによりサンゴ礁域における環境復旧を可能とするサンゴ増殖／移植用マット及びサンゴ増殖／移植方法に関する。
【背景技術】
【０００２】
岩礁帯へのサンゴの移植は、セラミックス製の着床具を用い、この着床具にプラヌラ幼生を着生させ、海底で中間育成させた後に、目的の場所の岩礁へ着床具ごと水中ボンド等を使用し、固着させて移植する方法が知られている（特許文献１）。
また、造礁サンゴは、台風等で底質が攪乱されると、雪崩のようにサンゴ礫が崩壊するため、このサンゴ礫が増殖中の稚サンゴに覆い被さり死滅してしまうという問題があった。他にも、ウニ類や魚類、オニヒトデによる食害によって、稚サンゴが死滅してしまうという問題もあった。そのため、サンゴを、海中にロープで垂下することにより、サンゴ礫地の崩壊やオニヒトデによる食害から保護し、一定の大きさまで成長させた後、海底に設置された基体に釘や杭を打ち込んで固定する増殖方法及び移植法が知られている（特許文献２）。
一方、ウニ類や魚類、オニヒトデによる食害を防ぐため、サンゴに網を被せる方策も考えられている。
【先行技術文献】
【特許文献】
【０００３】
【特許文献１】特開２００４−１２１１９５号公報
【特許文献２】特開平６−３０３８７５号公報
【発明の概要】
【発明が解決しようとする課題】
【０００４】
しかしながら、サンゴ礁の外礁内に当たる礁地では白化したサンゴが死滅してサンゴ礫となり、死滅したサンゴの破片が堆積している場所への移植は、着床具を固定する基盤となる岩場が存在しないため、岩場の替わりとなるコンクリートブロック等の基盤を設置した後に、着床具を固定する必要があった。そのため、コンクリート製の基盤を設置した後に着床具を固定すると、元の生態系に影響を及ぼすことに加え、景観も人工的になってしまうという問題があった。
また、ロープでサンゴを垂下することは、潮流に著しく弱いという問題があった。
一方、食害防止のためにサンゴに網を被せる場合、網に海藻が繁茂し、サンゴの成長に必要な光が遮られてしまうことから、サンゴの成長が悪くなり、最悪の場合は死に至る。そのため、網を定期的に清掃しなければならないという問題もあった。
【０００５】
そこで、本発明は、上記従来の問題点を解消し、サンゴ礫地の崩壊や、潮流の影響を受けることなく、而も釘等の金属や網を使用することなくウニ類や魚類による食害を防止して、サンゴを好適に増殖することができるサンゴ増殖／移植用マット及びサンゴ増殖／移植方法を提供することにある。
【課題を解決するための手段】
【０００６】
上記目的を達成するため、請求項１に記載の発明は、生分解性樹脂で形成され、海底に設置されるサンゴ増殖／移植用マットであって、所定形状の外枠の内部に、サンゴを差し込んで弾性保持可能な保持孔を複数連続形成してなる網状部を連設してマット本体を形成する一方、前記マット本体の上面に、複数の針状体を所定間隔で立設したことにある。
請求項２に記載の発明は、請求項１に記載の発明に加え、前記外枠に、隣接するサンゴ増殖／移植用マットの外枠と連結可能な連結部を設けたことにある。
請求項３に記載の発明は、請求項１又は２に記載の発明に加え、前記針状体は、長さが３５ｍｍ以上で、且つ２０ｍｍ以上１００ｍｍ以下の間隔、若しくは３０ｍｍ以上５０ｍｍ以下の間隔で立設されることにある。
請求項４に記載の発明は、請求項１乃至３の何れかに記載の発明に加え、前記網状部を格子状として、前記保持孔を、格子の目内で複数の支持棒を前記目の中央を除く放射方向に配設して形成したことにある。
請求項５に記載の発明は、請求項４に記載の発明に加え、格子の目内に、前記支持棒の中間部位間を接続するリング体を設けて前記支持棒を前記リング体の中心に向けて突出させ、前記リング体の内外で前記保持孔を夫々形成したことにある。
請求項６に記載の発明は、請求項１乃至５の何れかに記載のサンゴ増殖／移植用マットを海底に設置し、サンゴをマット本体の保持孔に差し込み、海底上に立設した状態で保持させて海底に定着させることにある。
【発明の効果】
【０００７】
本発明によれば、格子状に形成されたサンゴ増殖／移植用マットが底質を安定化させ、潮流の影響によるサンゴ礫地の崩壊を防止し、サンゴの育成が可能となる。また、サンゴの固定には、特に他の道具を一切使用する必要はなく、簡便に移植が可能である。他にも、サンゴ増殖／移植用マットが生分解性を備えているため、海底にそのまま残留することがなく、元の自然環境が持続可能であるうえに、新たなサンゴの成育やアマモ等の海草の生育を妨害することもない。また、針状体の採用により、網をサンゴに被せることなくウニ類や魚類の食害防止を可能とするので、清掃作業が不要となる。
特に、請求項２に記載の発明によれば、サンゴ増殖／移植用マットが、他のサンゴ増殖／移植用マットに連結可能となるため、海底に対してより広域でサンゴの育成を行うことが可能となる。
他にも、請求項３に記載の発明によれば、食害防止に最適な針状体が設置できる。
また、請求項４に記載の発明によれば、保持孔にサンゴを差し込めば足りるため、サンゴをロープに結びつけたり、サンゴを金属で固定するといったことが必要なくなり、移植作業が容易となって短時間で効率良く行える。また、サンゴを傷付ける恐れもない。
請求項５に記載の発明によれば、また、リング体の内外で形状の異なる保持孔が連続形成されるため、サンゴの径の大小や形状に容易に対応できる。
【図面の簡単な説明】
【０００８】
【図１】サンゴ増殖／移植用マットの全体構成を示す説明図である。
【図２】サンゴ増殖／移植用マットでサンゴを保持した状態を示す説明図である。
【図３】サンゴ増殖／移植用マットの網状部の変更例を説明する説明図である。
【図４】サンゴ増殖／移植用マットの変更例を説明する説明図である。
【発明を実施するための形態】
【０００９】
以下、本発明の実施の形態を図面に基づいて説明する。
【００１０】
まず初めに、サンゴ増殖／移植用マット１（以下単に「マット」という。）は、図１（ａ）に示すように、正方形の外枠３の内部に、サンゴ１３を差し込んで弾性保持可能な保持孔５，５・・を複数連続形成してなる網状部４を連設したマット本体２を有し、このマット本体２の上面に、複数の針状体６，６・・を所定間隔で立設して構成されている。
【００１１】
このマット１は、生分解性樹脂を使用しており、材質については特に限定されるものではないが、その一例として、具体的には、ポリブチレンサクシネート、ポリブチレンサクシネート／アジペート、ポリブチレンサクシネート／テレフタレート等のポリブチレンサクシネート系樹脂、ポリ乳酸、ポリヒドロキシブチレート、ポリカプロラクトン、ポリエチレンサクシネート、ポリビニルアルコール、デンプン、酢酸セルロース等を主成分とする、単体、または混合物を使用することがあげられる。
【００１２】
また、外枠３には、隣接する他のマット１の外枠３と連結可能とする連結部７が設けられている。この連結部７は、図１（ｂ）にも示すように、外枠３の隣接する二辺において下向きに形成される嵌合爪８，８・・と、外枠３の他の二辺において外向きに突設されて嵌合爪８が嵌合可能な嵌合片９，９・・とで構成されている。すなわち、外枠３，３同士で嵌合爪８を有する辺と嵌合片９を有する辺とを隣接させて嵌合爪８を対応する嵌合片９に嵌合させることで、図１（ｃ）のようにマット１，１同士を連続状に連結可能としたものである。
１２は、外枠３の下面でコーナー部に突設された凸部で、この凸部１２，１２・・と連結部７とにより、マット１と海底１４との間に一定の隙間が生じて海水が流れるようになっている。
【００１３】
そして、網状部４は、格子状に形成されて、各格子の目内に保持孔５，５・・が形成されている。この保持孔５は、図２（ａ）にも示すように、格子の目の中央を除いて４本の支持棒１０，１０・・を放射状に配設すると共に、各支持棒１０の中間部位をリング体１１で接続することで、リング体１１の内側に形成される保持孔５（以下区別する際には５Ａと表記する。）と、リング体１１の外側で格子の目の各コーナーに形成される４つの保持孔５（同様に区別する際には５Ｂと表記する。）となっている。保持孔５Ａにおいて、各支持棒１０，１０・・はリング体１１の中心に向けて突出している。
そして、針状体６は、長さ（マット本体２からの突出高さ）が３５ｍｍ以上で、外枠３を含む格子の各交点に前後左右に等間隔で立設されている。この間隔は、ウニ類や魚類の侵入を防止するために２０ｍｍ以上１００ｍｍ以下の間隔、好ましくは３０ｍｍ以上５０ｍｍ以下の間隔とするのが望ましい。
【００１４】
よって、網状部４には、リング体１１内の保持孔５Ａにサンゴ１３Ａを、リング体１１外の保持孔５Ｂにサンゴ１３Ｂを任意に選択して差し込むことができる。
ここで、本発明のマット１に用いるサンゴ１３の大きさとしては、長さが、プラヌラ（幼生）である１ｍｍ以下のものから，破片群体では数ｍｍから最大２００ｍｍ程度のものまで、枝の軸径が、３ｍｍ以上のものから３５ｍｍ以下のものまでが、好適に使用可能である。
【００１５】
そして、本発明のサンゴ増殖／移植方法に用いるサンゴの種類としては、具体的には以下のものがあげられる。
樹枝状群体としては、ハナヤサイサンゴ科：ハナヤサイサンゴ属、トゲサンゴ属、ショウガサンゴ属、パラオサンゴ属、ミドリイシ科：ミドリイシ属、トゲミドリイシ属、コモンサンゴ属、ハマサンゴ科：ハマサンゴ属、アワサンゴ属、ヒラフキサンゴ科：センベイサンゴ属、ビワガライシ科：アザミサンゴ属、エダアザミサンゴ属、オオトゲサンゴ科：タバサンゴ属、サザナミサンゴ属：イボサンゴ属、キクメイシ科：タバネサンゴ属、アナサンゴモドキ科：アナサンゴモドキ属が含まれる。
塊状群体としては、ムカシサンゴ科：ムカシサンゴ属、ハナヤサイサンゴ科：ハナヤサイサンゴ属、ショウガサンゴ属、ミドリイシ科：ミドリイシ属、コモンサンゴ属、アナサンゴ属、ハマサンゴ科：ハマサンゴ属、ハナガササンゴ属、アワサンゴ属、ヤスリサンゴ科：ニセヤスリサンゴ属、アミメサンゴ属、ヤスリサンゴ属、ヒラフキサンゴ科：シコロサンゴ属、ヒラフキサンゴ属、ヨロンキクメイシ属、リュウモンサンゴ属、オオトゲサンゴ科：コハナガタサンゴ科、アザミハナガタサンゴ科、オオトゲキクメイシ科、ハナガタサンゴ科、ダイノウサンゴ科、サザナミサンゴ科：オガサワラサンゴ属、イボサンゴ属、オオサザナミサンゴ属、キクメイシ科：キクメイシ属、バラバットサンゴ属、カメノコキクメイシ属、コカメノコキクメイシ属、ノウサンゴ属、ナガレサンゴ属、オオナガレサンゴ属、マルキクメイシ属、キクメイシモドキ属、コマルキクメイシ属、ダイオウサンゴ属、ルリサンゴ属、トゲキクメイシ属、ヒユサンゴ科：ヒユサンゴ属、チョウギガイ科：ナガレハナサンゴ属、オオナガレハナサンゴ属、ミズタマサンゴ属、オオハナサンゴ属、キサンゴ科：スリバチサンゴ属、クダサンゴ科：クダサンゴ属、アオサンゴ科：アオサンゴ属、アナサンゴモドキ科：アナサンゴモドキ属が含まれる。
葉状群体としては、ミドリイシ科：ミドリイシ属、コモンサンゴ属、ハマサンゴ科：ハマサンゴ属、ヒラフキサンゴ科：シコロサンゴ属、センベイサンゴ属、リュウモンサンゴ属、クサビライシ科：カワラサンゴ属、ヤエヤマカワラサンゴ属、アザミサンゴ科：アザミサンゴ属、ウミバラ科：キッカサンゴ属、アナキッカサンゴ属、ウスカミサンゴ属、ウミバラ属、スジウミバラ属、サザナミサンゴ科：サザナミサンゴ属、キクメイシ科：リュウキュウキッカサンゴ属、キサンゴ科：スリバチサンゴ属、アナサンゴモドキ科：アナサンゴモドキ属が含まれる。
【００１６】
以上の如く構成されたマット１を用いて、サンゴ１３を、海底１４上に育成するサンゴ増殖／移植方法は、以下のように行われる。
まず、マット１を海底１４に、前後左右に複数連結した状態で設置する。そして、図２（ａ）に示すように、サンゴ１３をマット本体２の保持孔５Ａ，５Ｂ・・を適宜選択して差し込む。すると、図２（ｂ）に示すように、サンゴ１３Ａ，１３Ｂが保持孔５に起立状態で弾性保持される。この時に、サンゴ表面のポリプが、支持棒１０やリング体１１に引っ掛かることで抜けが防止される。但し、サンゴの大きさや形状によっては、支持棒１０のリング体１１への突出した部分を適宜切断してサンゴ１３を挿入してもよい。
また、塊状及び葉状のサンゴは、針状体と針状体の間に挟み込むように固定することが可能である。
【００１７】
こうして海底１４上に立設したサンゴ１３は、マット１に保持された状態で生育を続ける。時間の経過に従って生分解性樹脂で形成されたマット１が海中で分解され、消失すると、成長したサンゴはそのまま海底１４上で自生する。
【００１８】
以上のように、本発明のマット１は、生分解性樹脂で形成され、外枠３の内部に、サンゴ１３を差し込んで弾性保持可能な保持孔５，５・・を複数連続形成してなる網状部４を連設してマット本体２を形成する一方、このマット本体２の上面に、複数の針状体６，６・・を所定間隔で立設したことにある。
よって、当該マット１を用いた増殖／移植方法によれば、底質を安定化させ、潮流の影響によるサンゴ礫地の崩壊を防止し、サンゴ１３の育成が可能となる。また、サンゴ１３の固定には、特に他の道具を一切使用する必要はなく、簡便に移植が可能である。他にも、マット１が生分解性を備えているため、海底１４にそのまま残留することがなく、元の自然環境が持続可能であるうえに、新たなサンゴ１３の成育やアマモ等の海草の生育を妨害することもない。また、針状体６の採用により、網をサンゴ１３に被せることなくウニ類や魚類の食害防止を可能とするので、清掃作業が不要となる。
【００１９】
また、外枠３に、隣接するマット１の外枠３と連結可能な連結部７，７・・を設けているので、海底１４に対してより広域でサンゴ１３の育成を行うことが可能となる。
さらに、針状体６，６・・は、長さが３５ｍｍ以上で、且つ２０ｍｍ以上１００ｍｍ以下の間隔、好ましくは３０ｍｍ以上５０ｍｍ以下の間隔で立設されることで、食害防止に最適な針状体が設置できる。
【００２０】
加えて、網状部４を格子状として、保持孔５を、格子の目内で複数の支持棒１０を目の中央を除く放射方向に配設して形成し、さらに格子の目内に、支持棒１０の中間部位間を接続するリング体１１を設けて支持棒１０をリング体１１の中心に向けて突出させ、リング体１１の内外で保持孔５Ａ，５Ｂを夫々形成している。
その結果、保持孔５にサンゴ１３を差し込めば足りるため、サンゴをロープに結びつけたり、サンゴを金属で固定するといったことが必要なくなり、移植作業が容易となって短時間で効率良く行える。また、サンゴを傷付ける恐れもない。また、リング体１１の内外で形状の異なる保持孔５Ａ，５Ｂが連続形成されるため、サンゴの径の大小や形状に容易に対応できる。
【００２１】
ちなみに、上記３００ｍｍ角で５０ｍｍの針状体を形成してなるマット１を８枚用いて、エダミドリイシの微小群体（初期サイズ数ｍｍ）と５ｃｍ乃至１０ｃｍの枝とを沼津市沿岸の海底に移植した実験を行った。微小群体では移植後一ヶ月後で９４％の生残率が得られ、枝では１００％の生残率が得られて、年間約３ｃｍの成長が確認できた。
【００２２】
なお、網状部内における保持孔の形態は、本発明の趣旨を逸脱しない範囲で必要に応じて適宜変更することができる。
【００２３】
例えば、保持孔５は、図３（ａ）に示すように、リング体１６中心に向けて突出した支持棒１０の先端部を、Ｙ字状に分岐した突起部１５，１５・・として、各突起部１５の中央でサンゴＡ１を保持するようにしても良い。
この場合、サンゴＡ１と異なる大きさのサンゴＡ２を、支持棒１０，１０とリング体１６との間で保持させることもできる。勿論サンゴＡ１，Ａ２と異なる大きさのサンゴＡ３をリング体１６の外側で保持させることもできる。
【００２４】
また、図３（ｂ）に示すように、リング体を省略して、格子の目内にその中央を除いて支持棒２０，２１・・を放射状に設けることで、保持孔５を形成してもよい。この場合、中央でサンゴＢ１を保持したり、支持棒２０，２１の間でサンゴＢ２を保持したりできる。
さらに、図３（ｃ）に示すように、格子の目の各コーナーに円弧状の押圧部２５，２５・・を設けることで、各押圧部２５の中央でサンゴＣ１を、コーナー部でサンゴＣ２を夫々保持させるようにしてもよい。
【００２５】
図３（ｄ）は図３（ｂ）の変形例で、放射状の支持棒３０，３１の長さを変えたもので、これによっても中央でサンゴＤ１が、支持棒３０，３１間でサンゴＤ２が夫々保持可能となる。
同様に、図３（ｅ）も図３（ｂ）の変形例で、ここでは放射状の支持棒３５，３５・・の先端に、円弧状の保持部３６を夫々設けている。ここでも中央でサンゴＥ１が各保持部３６によって保持されると共に、保持部３６の外側で支持棒３５，３５間でサンゴＥ２が保持される。
【００２６】
加えて、図４に示すように、前述した保持孔をランダムに組み合わせて網状部４を形成したマット１としても良く、何れにしてもサンゴを弾性保持可能な保持孔であれば、形状や大きさは適宜変更可能である。
【００２７】
その他、上記形態では外枠２は正方形状に形成されているが、必ずしもこの形状である必要はなく、菱形や楕円、三角形状等であっても良く、本発明の趣旨を逸脱しない範囲であれば必要に応じて適宜変更することができる。
また、連結部も、外枠の外周にフック状の係止部を設けて隣接する外枠に係止させる等、具体的な構造は変更して差し支えないし、連結部を省略することもできる。
【符号の説明】
【００２８】
１・・サンゴ増殖／移植用マット、２・・マット本体、３・・外枠、４・・網状部、５・・保持孔、６・・針状体、７・・連結部、８・・嵌合爪、９・・嵌合片、１０・・支持棒、１１・・リング体、１２・・凸部、１３・・サンゴ、１４・・海底、１５・・突起部、１６・・リング体、２０・・支持棒、２１・・支持棒、３０・・支持棒、３１・・支持棒、３５・・支持棒、３６・・保持部。
【図１】
0005380265.tif 000002
【図２】
0005380265.tif 000003
【図３】
0005380265.tif 000004
【図４】
0005380265.tif 000005